(57)【特許請求の範囲】
【請求項１】
複数の音声入力部からの音声を録音する録音装置において、
前記複数の音声入力部の内の特定話者に対応する特定の音声入力部から入力する音声信号中の有音を検出する特定話者有音検出手段と、前記複数の音声入力部の内の前記特定話者以外の音声入力部の各々から入力する音声信号中の有音を検出する非特定話者有音検出手段と、前記複数の音声入力部からの音声をミキシングして録音するミキシング音声録音手段と、を有し、
前記ミキシング音声録音手段は、前記特定話者有音検出手段が有音を検出する毎に録音区間の区切りを示す区切情報を記録し、前記区切情報が示す録音区間の発言終了を示す位置は、前記非特定話者有音検出手段が前記特定話者以外の音声入力部から入力する音声信号のいずれからも有音を検出しなくなった時点の位置であることを特徴とする録音装置。
【請求項２】
請求項１に記載の録音装置であって、
前記ミキシング音声録音手段に録音された音声信号の再生を制御する音声再生制御手段をさらに有し、
前記音声再生制御手段は、前記特定話者有音検出手段により記憶した区切情報が発言開始を示す位置から再生を開始し、前記区切情報が発言終了を示す位置を検出する毎に音声再生を一時停止する、または以降の区切情報を検出するまで音声再生をスキップする、または以前の区切情報のタイミングに戻って再度音声を再生する機能を有することを特徴とする録音装置。
【発明の詳細な説明】
【技術分野】
【０００１】
本発明は、音声録音装置に係り、会議参加者の発言の開始・中断を検知して、音声情報に加えて、インデックス情報を付加して記録し、再生時に、指定したインデックス情報を抽出して会議参加者の発言（音声情報）を再生する録音装置に関する。
【背景技術】
【０００２】
従来の録音装置における再生制御方法は、以下の文献に記載されている。
特許文献１は、複数の発言者（相手先）からの音声情報がミキシングされた合成音声ファイルを、個別の音声情報ファイルに変換した後、再生する方法を開示している。
【０００３】
特許文献２は、複数の発言者（相手先）からの音声情報がミキシングされた合成音声ファイルから、音声認識処理によって各話者の特徴を認識し、特定の話者を抽出して再生する方法を開示している。
【０００４】
特許文献３は、会議参加者毎に独立した音声情報として個別音声情報ファイルに記録する方法を開示している。
【先行技術文献】
【特許文献】
【０００５】
【特許文献１】特開２００７−２５６４９８号公報
【特許文献２】特開２００７−２９８８７６号公報
【特許文献３】特開平９−０９７２２０号公報
【発明の概要】
【発明が解決しようとする課題】
【０００６】
しかし、特許文献１の方法では、パソコン等によってミキシングされた合成音声データファイルから必要な情報を抽出し、個々の音声情報ファイルに変換するため、目的の会議参加者の記録音声を再生するまでに手間が必要である。
また、特許文献２は、音声認識を行うため、再生装置に高度なＣＰＵを搭載する必要があり、再生装置のコストが高騰してしまう。
【０００７】
さらに、特許文献３では、会議参加者毎に独立した個別音声情報ファイルとして記録するため、大量の保存用のメモリを用意する必要がある。
本発明の目的は、簡易な制御で特定の会議参加者の発言を再生可能とする録音装置を提供することに有る。
【課題を解決するための手段】
【０００８】
そこで本発明では、ミキシングされた音声情報を記録する際に、各会議参加者の音声情報が入力される部分に発言の有無を検出する入力有音検出手段を設けて、発言者を区別する情報と発言の開始／終了をインデックスとして併せて記録し、再生時には記録したインデックスに基づき、再生対象指定手段によって指定された会議参加者毎の発言を検索、選択して再生させる。
【０００９】
上述した課題は、複数の音声入力部の内の特定話者に対応する特定の音声入力部から入力する音声信号中の有音を検出する特定話者有音検出手段と、複数の音声入力部の内の特定話者以外の音声入力部の各々から入力する音声信号中の有音を検出する非特定話者有音検出手段と、複数の音声入力部からの音声をミキシングして録音するミキシング音声録音手段と、を有し、ミキシング音声録音手段は、特定話者有音検出手段が有音を検出する毎に録音区間の区切りを示す区切情報を記録し、区切情報が示す録音区間の発言終了を示す位置は、非特定話者有音検出手段が特定話者以外の音声入力部から入力する音声信号のいずれからも有音を検出しなくなった時点の位置である録音装置により、達成できる。
【発明の効果】
【００１１】
本発明によれば、簡易な制御で特定の会議参加者の発言を再生可能とする録音装置を提供することができる。
【図面の簡単な説明】
【００１２】
【図１】会議電話装置の構成を説明する機能ブロック図である。
【図２Ａ】音声情報記録メモリの記録内容を説明する図である。
【図２Ｂ】区切情報を説明する図である。
【図３】発言中フラグを説明する図である。
【図４】録音制御部の動作を説明するフローチャートである。
【図５】再生対象管理メモリを説明する図である。
【図６】再生制御部の動作を説明するフローチャートである。
【図７】区切情報を説明する図である（その２）。
【発明を実施するための形態】
【００１３】
以下、本発明の実施の形態について、実施例を用い図面を参照しながら詳細に説明する。なお、実質同一部位には同じ参照番号を振り、説明は繰り返さない。
【実施例１】
【００１４】
図１を参照して、録音機能を備えた会議電話装置と電話網との接続構成を説明する。図１において、会議電話装置３０は、電話網２０を介して、３台の相手先端末１０と接続されている。会議電話装置３０は、回線インタフェース部３０１と、呼制御部３０２と、３式の通話回路３１と、通話回路３１と１対１で接続された有音検出部３２と、音声ミキシング部３１４と、録音制御部３２５と、区切情報生成部３２６と、音声情報記録メモリ３１５と、再生制御部３２７と、スピーカ３３２と、操作部３３１と、再生用通話回路３１７と、再生対象指定操作検出部３２８とから構成されている。
【００１５】
回線インタフェース部３０１は、会議電話装置３０と電話網２０とを接続する。呼制御部３０２は、着信、応答および終話を制御する。通話回路３１は、回線インタフェース部３０１を介して各相手先端末１０と音声ミキシング部３１４との間で音声信号を中継する。有音検出部３２−１〜有音検出部３２−３は、通話回路３１−１〜通話回路３１−３毎に相手先端末１０−１〜１０−３から入力された音声信号の有音／無音を検出する。
【００１６】
音声ミキシング部３１４は、相手先端末１０−１と相手先端末１０−２から入力された音声信号をミキシング（合成）して相手先端末１０−３（通話回路３）に出力する。音声ミキシング部３１４は、また相手先端末１０−１と相手先端末１０−３から入力された音声信号をミキシング（合成）して相手先端末１０−２（通話回路２）に出力する。音声ミキシング部３１４は、また相手先端末１０−２と相手先端末１０−３から入力された音声信号をミキシング（合成）して相手先端末１０−１（通話回路１）に出力する。
【００１７】
音声情報記録メモリ３１５は、全ての相手先端末１０から入力された音声信号をミキシング（合成）した合成音声と区切情報を記録する。録音制御部３２５は、音声情報記録メモリ３１５に対して音声ミキシング部３１４でミキシングされた会議音声情報の録音（保存）を制御する。再生制御部３２７は、音声情報記録メモリ３１５に保存された会議音声情報の再生を制御する。
【００１８】
録音制御部３２５は、会議通話が開始されると音声ミキシング部３１４を有効とし、全ての相手先端末１０（通話回路３１）から入力された音声信号がミキシングされた会議音声信号を音声情報記録メモリ３１５に保存する。録音制御部３２５は、この時、各有音検出部３２が有音を検知した際、区切情報生成部３２６から取得したメモリアドレス（発言開始位置情報）と、呼制御部３０２から有音を検出した通話回路に対応する相手先端末（会議参加者）の電話番号情報を取得する。録音制御部３２５は、メモリアドレスと、電話番号とを関連付けた区切情報（インデックス）として音声情報記録メモリ３１５に保存する。録音制御部３２５は、また各有音検出部が有音から無音に変化したことを検知した際にも、同様に発言の中断を示す区切情報を生成し、音声情報記録メモリ３１５に保存する。
【００１９】
ここで有音から無音に変化したこととは、有音から無音への状態の変化を検出し、無音が一定時間経過（ここでは1秒）したことを云う。
【００２０】
再生制御部３２７は、操作部３３１または再生対象指定操作検出部３２８から、会議音声情報の再生指示を検出すると、音声情報記録メモリ３１５から指定された会議参加者の区切情報を検索し、抽出した発言開始位置より再生を開始し、スピーカ３３２または再生用通話回路３１７を介して、保存された会議音声情報を出力する。また再生制御部３２７は、発言中断位置に至ったことを検出した場合、該当する会議音声情報の再生を中止する。
【００２１】
再生対象指定操作検出部３２８は、保存された会議音声情報の読出しを行う相手先端末からのＰＢ（ＤＴＭＦ）信号等を受信し、再生の対象となる話者選択、再生の繰返し、停止、終了等の指示を検出する。
【００２２】
なお、通話回路３１−１〜通話回路３１−３によって３つの相手先と接続する例として示しているが、更に通話回路及び有音検知部を追加して、多数の相手先と接続させてもよい。
【００２３】
図２を参照して、音声情報記録メモリの記録内容を説明する。図２Ａにおいて、音声情報記録メモリ３１５は、ミキシングされた会議音声情報を蓄積するエリア３１５１と、区切情報３５０を蓄積するエリア３１５２とから構成する。
【００２４】
図２Ｂにおいて、区切情報３５０は、発言者区分３５１、発言開始位置３５２、発言中断位置３５３で構成されている。ここで、発言者区分３５１は、発言者の電話番号を記録する。発言開始位置３５２および発言中断位置３５３は、ミキシングされた会議音声情報を蓄積するエリア３１５１の記録開始位置／記録中断位置を示すメモリ番地を記録する。
【００２５】
なお、会議記録の先頭のレコードの発言者区分３５１は、録音開始を記録し、発言開始位置３５２は、会議音声情報を蓄積するエリア３１５１の先頭のメモリ番地を記録する。また、会議記録の末尾のレコードの発言者区分３５１は、録音終了を記録し、発言中断位置３５３は、会議音声情報を蓄積するエリア３１５１の末尾のメモリ番地を記録する。
また、同時に発言する場合があるので、区切情報３５０に記録された発言開始位置３５２と発言中断位置３５３とは、各レコードで重なってもよい。
【００２６】
図３を参照して、録音制御部が、音声情報記録メモリに会議音声情報の区切情報を保存する際に、発言者（相手先端末）が発言中であるか否かを識別する発言中フラグを説明する。図３において、発言中フラグ３６０は、発言者区分３６１と、発言中識別フラグ３６２で構成される。発言者区分３６１は、発言者の電話番号を記録する。発言中識別フラグ３６２は、有音検出部３２の検出結果に基づいて、有音検出中に「１」、非有音検出中に「０」を記録している。
【００２７】
図４を参照して、録音制御部の処理を説明する。図４において、録音制御部３２５は、会議通話の開始を待つ（Ｓ１０１）。録音制御部３２５は、会議通話が開始されたことを認識すると（ＹＥＳ）、区切情報生成部３２６からメモリ位置情報を取得する（Ｓ１０２）。録音制御部３２５は、音声情報記録メモリ３１５に録音の先頭を示す区切情報を記録する（Ｓ１０３）。録音制御部３２５は、音声ミキシング部３１４を有効として、ミキシングされた会議音声情報の記録を開始する（Ｓ１０４）。
【００２８】
録音制御部３２５は、カウンタｉに１をセットする（Ｓ１０６）。録音制御部３２５は、有音検出部３２−ｉで有音を検出しているか判定する（Ｓ１０７）。有音を検出しているとき（Ｓ１０７でＹＥＳ）のとき録音制御部３２５は、通話回路３１−ｉの発言中フラグがセットされているか判定する（Ｓ１０８）。発言中フラグがセットされていないとき(Ｓ１０８でＮＯ)、録音制御部３２５は、メモリ位置と電話番号を取得する（Ｓ１０９）。録音制御部３２５は、発言開始の区切情報を記録する（Ｓ１１１）。録音制御部３２５は、通話回路３１−ｉの発言中フラグをセットする（Ｓ１１２）。録音制御部３２５は、カウンタｉをインクリメントする（Ｓ１１３）。録音制御部３２５は、カウンタｉが４か判定する（Ｓ１１４）。ＮＯのとき録音制御部３２５は、ステップ１０７に遷移する。発言中フラグがセットされているとき（Ｓ１０８でＹＥＳ）、録音制御部３２５は、そのままステップ１１３に遷移する。
【００２９】
無音を検知しているとき（１０７でＮＯ）、録音制御部３２５は、通話回路３１−ｉの発言中フラグがセットされているか判定する（Ｓ１１６）。ＹＥＳのとき録音制御部３２５は、メモリ位置と電話番号を取得する（Ｓ１１７）。録音制御部３２５は、発言中断の区切情報を記録する（Ｓ１１８）。録音制御部３２５は、通話回路３１−ｉの発言中フラグをリセットして（Ｓ１１９）、ステップ１１３に遷移する。ステップ１１６でＮＯのとき、録音制御部３２５は、そのままステップ１１３に遷移する。
【００３０】
ステップ１１４でＹＥＳのとき、録音制御部３２５は、会議通話が終了したか判定する（Ｓ１２１）。ＹＥＳのとき、録音制御部３２５は、ミキシング音声録音を停止する（Ｓ１２２）。録音制御部３２５は、メモリ位置を取得する（Ｓ１２３）。録音制御部３２５は、録音終了の区切位置を記録して（Ｓ１２４）、終了する。ステップ１２１でＮＯのとき、録音制御部３２５は、ステップ１０６に遷移する。
【００３１】
図５を参照して、再生制御部が、音声情報記録メモリ３１５に保存された会議音声情報を再生し、前後の発言検索する際に用いる再生位置メモリの内容を説明する。図５において、再生位置メモリ３７０は、再生中発言者区分３７１、再生開始位置３７２、再生中断位置３７３から構成される。再生中発言者区分３７１、再生開始位置３７２、再生中断位置３７３は、いずれも区切情報３５０のレコードをコピーしたものである。ここでは、図２Ｂの区切情報３５０の２番目のレコードを記録している。したがって、再生中発言者区分３７１は、再生中の発言者の電話番号を記録する。再生開始位置３７２および再生中断位置３７３は、再生中の会議音声情報を蓄積するエリア３１５１の記録開始位置／記録中断位置を示すメモリ番地を記録する。
【００３２】
図６を参照して、再生制御部の動作フローを説明する。図６において、再生制御部３２７は、再生対象の会議の指定を待つ（Ｓ２０１）。記録された会議音声情報の再生指示を認識すると（ＹＥＳ）、再生制御部３２７は、再生用通話回路３１７を接続する（Ｓ２０２）。再生制御部３２７は、再生位置メモリ３７０をリセットする（Ｓ２０３）。再生制御部３２７は、発言者ｎの再生指示を検出したか判定する（Ｓ２０４）。ＹＥＳのとき、再生制御部３２７は、発言者ｎの次の区切情報を抽出する（Ｓ２０６）。再生制御部３２７は、該当する区切情報を再生位置メモリ３７０に保存する（Ｓ２０７）。再生制御部３２７は、該当する再生開始位置３７２から再生開始する（Ｓ２０８）。
【００３３】
ステップ２０８に引き続いて、またはステップ２０４でＮＯのとき、再生制御部３２７は、巻き戻し再生支持を検出したか判定する（Ｓ２０９）。ＹＥＳのとき、再生制御部３２７は、該当発言者の前の区切情報を抽出する（Ｓ２１１）。再生制御部３２７は、該当する区切情報を再生位置メモリ３７０に保存する（Ｓ２１２）。再生制御部３２７は、該当する再生開始位置３７２から再生開始する（Ｓ２１３）。
【００３４】
ステップ２１３に引き続いて、またはステップ２０９でＮＯのとき、再生制御部３２７は、再生停止指示を検出したか判定する（Ｓ２１４）。ＹＥＳのとき、再生制御部３２７は、音声情報の再生を停止する（Ｓ２１６）。
【００３５】
ステップ２１６に引き続いて、またはステップ２１４でＮＯのとき、再生制御部３２７は、再生中断位置３７３に到達したか判定する（Ｓ２１７）。ＹＥＳのとき、再生制御部３２７は、音声情報の再生を停止する（Ｓ２１８）。
【００３６】
ステップ２１８に引き続いて、またはステップ２１７でＮＯのとき、再生制御部３２７は、再生終了指示を検出したか判定する（Ｓ２１９）。ＹＥＳのとき、再生制御部３２７は、対象音声情報の再生を停止する（Ｓ２２１）。再生制御部３２７は、再生通話回路３１７を切断して（Ｓ２２２）、終了する。ステップ２１９でＮＯのとき、再生制御部３２７は、ステップ２０４に遷移する。
【００３７】
上述した実施例に拠れば、簡易な制御で特定の会議参加者の発言を再生可能とする録音装置を提供することができる。なお、実施例として会議電話装置を説明したが、これに限らず単に録音装置であってもよい。
【実施例２】
【００３８】
実施例１は、順次、特定の端末から入力された音声を再生する。これに対して、実施例２は、電話会議の主催者の通話回路を特定し、その音声で切り分けて、ミキシングした音声を再生する。
【００３９】
図７において、区切情報３５０は、発言者区分３５１、発言開始位置３５２、発言中断位置３５３で構成されている。ここで、発言者区分３５１は、会議の主催者の電話番号を記録する。発言開始位置３５２および発言中断位置３５３は、ミキシングされた会議音声情報を蓄積するエリア３１５１の記録開始位置／記録中断位置を示すメモリ番地を記録する。
【００４０】
なお、会議記録の先頭のレコードの発言者区分３５１は、録音開始を記録し、発言開始位置３５２は、会議音声情報を蓄積するエリア３１５１の先頭のメモリ番地を記録する。また、会議記録の末尾のレコードの発言者区分３５１は、録音終了を記録し、発言中断位置３５３は、会議音声情報を蓄積するエリア３１５１の末尾のメモリ番地を記録する。
【００４１】
録音開始および録音終了を除く各レコードは、会議主催者（特定話者）の発言開始時点で、当該レコードの発言開始位置３５２と、あれば一つ前のレコードの発言中断位置３５３を記入する。すなわち、発言開始位置３５２は、単一の会議主催者の発言開始位置を記録するが、発言中断位置３５３は、すべての会議参加者の発言が中断された時点もしくは会議主催者の次の発言開始位置より−１したメモリ番地を記録してもよい。
【００４２】
図４を再び参照して、実施例２の録音制御部の処理を説明する。図４において、実施例１との違いを説明する。すなわち、ステップ１０６、ステップ１１３、ステップ１１４、ステップ１１７、ステップ１１８は、実施例２ではジャンプして飛ばす。また、ステップ１１１では、録音制御部３２５は、発言開始の区切情報を記録するだけでなく、もしあれば、前のレコードの発言中断の区切情報を記録する。また、ステップ１２４では、録音終了の区切位置（発言中断位置）と、その前の区切の発言中断位置を記録して、終了する。
実施例２によれば、会議の全てを順を追って再生することができ、また会議主催者の発言を単位として再生のスキップや巻き戻しを行うことができる。
【符号の説明】
【００４３】
１０…相手先端末、２０…電話網、３０…会議電話装置、３１…通話回路、３２…有音検出部、３０１…回線インタフェース部、３０２…呼制御部、３１４…音声ミキシング部、３１５…音声情報記録メモリ、３１７…再生用通話回路、３２５…録音制御部、３２６…区切情報生成部、３２７…再生制御部、３２８…再生対象指定操作検出部、３３１…操作部、３３２…スピーカ。
【図１】
0005521414.tif 000002
【図２Ａ】
0005521414.tif 000003
【図２Ｂ】
0005521414.tif 000004
【図３】
0005521414.tif 000005
【図４】
0005521414.tif 000006
【図５】
0005521414.tif 000007
【図６】
0005521414.tif 000008
【図７】
0005521414.tif 000009